(57)【要約】【課題】枠材に堰板を固定させた型枠を永久型枠として使用したコンクリート製家屋の構築方法において、コンクリートを打設する際に天井用型枠に撓みが発生しないようにすること【解決手段】壁用型枠と必要な間仕切りパネルとを配置固定し、中桟で補強した天井用型枠を壁用型枠及び間仕切り下地壁上に固定させた後、天井用型枠上及び壁用型枠間にコンクリートを打設する【図面】図１
2004044167.tif 000002
【特許請求の範囲】
【請求項１】
枠材に堰板を固定させた型枠を永久型枠として使用するコンクリート構築物の構築方法において、壁用型枠と必要な間仕切りパネルとを配置固定し、中桟で補強した天井用型枠を壁用型枠及び間仕切り下地壁上に固定させた後、天井用型枠上及び壁用型枠間にコンクリートを打設するコンクリート製家屋の構築方法。
【請求項２】
壁用の型枠が縦中桟のみを適宜の間隔で補強体として配置している請求項１に記載のコンクリート製家屋の構築方法。
【請求項３】
少なくとも一方の縦枠材が近接して二本平行に配置した壁用型枠を使用する請求項１又は２に記載のコンクリート製家屋の構築方法。
【請求項４】
複数の補強用中桟を縦枠材又は横枠材のいずれかと平行に設け、型枠の中央部で中桟の高さを高く構成し、中桟を押圧するように強靱な条帯を枠材間に張設させた天井用型枠。
【請求項５】
中桟の中央部側ほどその高さを高くし、中桟に沿って強靱な条帯を張設した請求項４に記載の天井用型枠。
【請求項６】
型枠の中央部の中桟の高さを高く枠材側の中桟ほどその高さを低くし、中桟と直交させて強靱な条帯を張設した請求項４に記載の天井用型枠。
【請求項７】
請求項４、５又は６に記載の天井用型枠を使用する請求項１、２又は３に記載のコンクリート製家屋の構築方法。
【発明の詳細な説明】
【０００１】
【技術分野】
本発明は、コンクリート製構築物を構築する際の天井用型枠、並びに枠材に堰板を固定させた型枠を永久型枠として使用するコンクリート製家屋の構築方法に関するものである。
【０００２】
【従来技術とその問題点】
この種のコンクリート構築物の構築方法として、特開２００２−７０２２１号公報に開示されたものが知られている。
永久型枠工法は、主として室内側の壁や柱を構築する際に利用されていて、型枠を打設されたコンクリートと一体化させてしまうものであり、型枠の取り外し作業も不要となるため、構築に要する日数を短縮できる利点がある。
【０００３】
天井面（二階以上の床面）のコンクリートを打設する際には、打設するコンクリートの重みで型枠が撓んでしまうのを防止する必要がある。従来の捨て型枠工法（コンクリート硬化後に型枠を除去してしまう工法）のように、型枠を下面から多数の支柱でサポートするようにすれば良いが、この工法を採用すると、天井面を構成するコンクリートが十分固まるまで、支柱はおよそ一週間程度はずすことができない。その結果、内装工事に取り掛かれず、工期を大幅に短縮できない問題が残っていた。
【０００４】
【技術的課題】
本発明は、枠材に堰板を固定させた型枠を永久型枠として使用したコンクリート製家屋の構築方法において、コンクリートを打設する際に天井用型枠に撓みが発生しないようにすることを課題としたものである。
【０００５】
【技術的手段】
この技術的課題を解決するための第一の技術的手段は、（イ）壁用型枠と必要な間仕切りパネルとを配置固定し、（ロ）中桟で補強した天井用型枠を壁用型枠及び間仕切り下地壁上に固定させた後、（ハ）天井用型枠上及び壁用型枠間にコンクリートを打設すること、である。
第二の技術的手段は、上記の構築方法において、縦中桟のみを適宜の間隔で補強体として配置した壁用の型枠を使用することである。
第三の技術的手段は、これらの方法において、少なくとも一方の縦枠材が近接して二本平行に配置した壁用型枠を使用することである。
【０００６】
本発明方法では、壁用型枠を配置固定すると共に、室内の間仕切り下地壁をも配置固定する。この下地壁としては、間仕切りパネルを好適に使用することができ、配置に際しては必要に応じて壁用型枠を利用すればよい。
天井用型枠は中桟によって補強され、且つ壁用型枠及び間仕切り下地壁上に固定させられているから、型枠として下側からサポートされた状態におかれることになる。この補強体としての中桟は、型枠の大きさや下地壁の配置などを勘案して縦中桟及び横中桟のいずれか又はその双方を設けることになる。
その状態で、天井用型枠上及び壁用型枠間にコンクリートが打設されるから、型枠にほとんど撓みが発生せず、円滑に天井面及び壁面が同時に構築されることになる。
【０００７】
型枠にほとんど撓みが発生しない結果、コンクリートの打設に際して型枠の下側からのサポートがほとんど不要となり、小さい部屋ではサポートを用いる必要はない。室内に支柱が乱立させる必要もないから、コンクリートの硬化が始まった段階で、そのまま内装工事に取り掛かれる利点がある。
【０００８】
第二の技術的手段は、上記技術的手段に縦中桟のみを適宜の間隔で補強体として配置した壁用の型枠を使用するものである。縦中桟がそのまま内壁の裏側に残るため、中桟の間に断熱材を装入したり、電線やダクトを配設したり、さらには室内換気のための空間としても利用することができる。
第三の技術的手段では、縦枠材が近接して二本平行に配置した壁用型枠が使用されるから、コーナー部で型枠同志を連結させる際に、双方の縦枠材を室内側で露出させられるから、内装材を取り付ける際にそのコーナー縁を確実に型枠に固定することができる。
【０００９】
第四乃至第六の技術的手段は、コンクリート製構築物を構築する際に好適に使用する天井用型枠に関するもので、型枠の下面側から上向きの力を作用させることによって撓みを防止し、上記のコンクリート構築物の構築方法に好適に使用できるようにしたものである。
第四の技術的手段は、複数の補強用中桟を縦枠材又は横枠材のいずれかと平行に設け、型枠の中央部で中桟の高さを高く構成し、中桟を押圧するように強靱な条帯を枠材間に張設させたことである。
第五の技術的手段は、この型枠において、中桟の中央部側ほどその高さを高くし、中桟に沿って強靱な条帯を張設したことであり、第六の技術的手段は、型枠の中央部の中桟の高さを高く枠材側の中桟ほどその高さを低くし、中桟と直交させて強靱な条帯を張設したことである。
【００１０】
この天井用型枠において、縦枠材又は横枠材と平行に設けた複数の補強用中桟は、型枠の中央部で中桟の高さを高く構成し、強靱な条帯が中桟を押圧するように張設させられているから、この条帯の張力は型枠の中央部にいくほど強い力で上向きの力を与えることになる。したがって、その型枠上にコンクリートが打設されても、型枠に撓みが発生することはほとんどない。
【００１１】
型枠の中央部に上向きの力を与える場合、中桟の中央部側ほどその高さを高くし、中桟に沿って強靱な条帯を張設する構成と、型枠の中央部の中桟の高さを高く枠材側の中桟ほどその高さを低くし、中桟と直交させて強靱な条帯を張設する構成のいずれかが採用される。前者の場合は中桟の外側にアール状或いは階段状に形成する必要があるため、中桟の加工に手間がかかるが、後者の場合は厚さの異なる桟材を適宜組み合わせればよいから、中桟自体の加工は容易である。
いずれの構成であっても、中桟の間は電線やダクトなどを配設したり、断熱材を装入するために利用することができる。
この強靱な条帯としては、ワイヤー、丸鋼、平鋼などを好適に使用することができる。
【００１２】
【実施の形態】
図１は、本発明方法によってコンクリート１０を打設した後内装材２０を取り付けた状態の横断面を示したものである。
壁用型枠１は、縦枠材２、２に堰板４を固定して形成してあり、本実施形態では、堰板の外側にコンクリート１０打設時にその水分によって堰板４が傷まないように、合成樹脂フィルム５を貼着させたものを使用している。
縦枠材２、２の間には縦中桟６、６を補強材として固定させてあり、その適宜の位置で切欠部７、７を形成し、その部分で図示しない外側の型枠との間にステー８、８を貫通させて型枠同志を固定できるようにしている（図２参照）。
なお、縦中桟は、固定する間仕切り下地壁１５を固定するために、適宜増設することができる。本実施形態では、増設縦中桟１４を設けて下地壁１５を固定している。
【００１３】
なお、この型枠１では左側の縦枠材２に沿ってもう一本の枠材３が固定させてあり、コーナーを形成する他の型枠１１の内側で枠材３を露出させ、後述する内装材２０の施工が容易になるようにしている。
枠材２と縦中桟６、縦中桟６同志の間には断熱材９、９を配置している。この断熱材９の厚さは、枠材２及び縦中桟６の厚みより小さく構成してあって、後述する内装材２０を取り付けた状態において断熱材９との間に空隙１２が形成できるようにしてあり、配管や配線のために活用されることになる。
【００１４】
天井用の型枠３０は、長方形の枠材に堰板３４を固定させたものであって、前記壁用型枠１と同様に、長手方向に数本の補強用中桟３６、３６を設け、堰板の外側には合成樹脂フィルム３５を貼着させている。
中桟３６の外側には、長手枠材３２、３２間に跨がらせて短手方向の補強桟３７、３７を固定させている。この補強桟３７は、中央部側の桟を厚肉にし、短手枠材３１側ほど徐々に肉厚が小さくなるように構成している。
補強桟３７、３７の外側には保護プレート３６を介して長手方向にワイヤー３５をを掛け渡し、その両端部は短手枠材３１に取り付けた金具３８に緊張状態を維持して固定させている。したがって、この型枠を３０を壁用型枠１及び下地壁１５上に固定してた後、天井用型枠３０上にコンクリートを打設しても、この型枠３０に撓みが生じることはない。
【００１５】
この天井用型枠３０においても、壁用型枠１と同様に、一方の長手枠材３２側にこれと平行に枠材３３を固定させてあり、壁用枠材１とのコーナー部での固定や図示しない天井内装材の端縁の固定を確実に行えるようにしている。
なお、補強桟３７、３７の間は配線や配管用のスペースとして利用できるのは言うまでもない。
【００１６】
この実施形態では、間仕切り用の下地壁１５として枠材１６の一方に合板１７を、他方にボード１８貼着させた木製パネルを使用しているがコンクリート製のパネルを使用することもできる。
内装材２０は、この実施形態では、枠材２及び中桟６上に耐火ボード２１を固定し、その表面にクロス２２を貼着させた構成を採用している。この内装材２０の施工は、打設されたコンクリート１の硬化が開始した段階で着手することができる。
【００１７】
壁用型枠の断熱材９と内装材２０との隙間を換気に利用する場合には、内装材の床面側の幅木に適宜の孔を穿設すると共に外壁を構成するコンクリート壁及び型枠にも孔を穿設しておく必要がある。
【図面の簡単な説明】
【図１】コンクリート打設後内装材２０を取り付けた状態の横断面
【図２】壁用型枠の裏面図
【図３】天井用型枠の側面図
【図４】天井用型枠の要部拡大図
【図５】天井用型枠の裏面図
【符号の説明】
１、１１壁用型枠、　２縦枠材、　４、３４堰板、　５合成樹脂フィルム、　６縦中桟、８ステー、　９断熱材、　１０コンクリート、　１２隙間、　１４増設縦中桟、　１５間仕切り用下地壁、　１６枠材、　１７合板、　１８ボード、　２０内装材、　２１耐火ボード、　２２クロス、　３０天井用型枠、　３１短手枠材、　３２長手枠材、　３５ワイヤー、　３６保護プレート、　３７補強用中桟、　３８金具
【図１】
2004044167.tif 000003
【図２】
2004044167.tif 000004
【図３】
2004044167.tif 000005
【図４】
2004044167.tif 000006
【図５】
2004044167.tif 000007